(57)【要約】【課題】中空接合部の内部に適合可能で、接合部をシールし、接合部の内部への通過を阻止し、外部の粒子から完全シールを達成できる接合部カバーゴムストリップの提供。【解決手段】中空接合部で分離された２つの隣接表面を準備し塗装するための接合部カバーゴムストリップである。単一片の本体（２）から成り、本体はその一端に水平な四角形表面（４）を有し、この四角形表面はこれよりも広幅の表面（１８）に平行になっている。前記四角形表面（４）は２つの傾斜した四角形表面（３，５）により境界付けられ、一方反対側表面（１８）には２つの傾斜した表面（１６，１７）が設けられている。ストリップ全体は、２つの突出部分（８，９）の中心に配置された単一片のエラストマー本体（２）から成っている。【選択図】図１
2004521730.tif 000002
【特許請求の範囲】
【請求項１】
中空接合部で分離された２つの隣接表面を準備し塗装するための接合部カバーゴムストリップであって、
単一片の本体（２）から成る基礎上に作られ、前記本体はその一方側の端部に水平な四角形表面（４）を提供し、この四角形表面はこれよりも広幅の表面（１８）に平行に位置決めされ、前記四角形表面（４）は２つの傾斜した四角形表面（３，５）により境界付けられており、一方反対側の広幅表面（１８）はその側部上に傾斜した表面（１６，１７）を有していることを特徴とする接合部カバーゴムストリップ。
【請求項２】
エラストマーから成る本体（２）がその中心の側部領域に２つの延伸部分（８，９）を提供し、これら延伸部分はその外形において一致した傾斜表面を形成しており、そこでは傾斜表面の上側部分（１０，１１）が四角形で傾斜表面の下側部分（１２，１３）と同一形状をしている請求項１に記載した中空接合部で分離された２つの隣接表面を準備し塗装するための接合部カバーゴムストリップ。
【請求項３】
前記傾斜表面の上側部分（１０，１１）により形成される内側端縁と前記傾斜した四角形表面（３，５）の外側端縁との間に垂直で平行な表面（６，７）が設けられている請求項１又は２に記載した中空接合部で分離された２つの隣接表面を準備し塗装するための接合部カバーゴムストリップ。
【請求項４】
前記傾斜表面の下側部分（１２，１３）の内側端縁と前記側部傾斜表面（１６，１７）の外側端縁との間に垂直で平行な表面（１４，１５）が設けられている請求項１乃至３のいずれかに記載した中空接合部で分離された２つの隣接表面を準備し塗装するための接合部カバーゴムストリップ。
【請求項５】
前記平行な表面（１４，１５）の間にある前記本体（２）の厚さは前記垂直で平行な表面（６，７）の間にある前記本体（２）の厚さよりもかなり大きく作られている請求項１乃至４のいずれかに記載した中空接合部で分離された２つの隣接表面を準備し塗装するための接合部カバーゴムストリップ。
【発明の詳細な説明】
【技術分野】
【０００１】
本発明が記述する事柄は、中空接合部で分離された２つの隣接表面を準備し塗装するための接合部カバーゴムストリップ（接合部マスキング用ゴム製帯片）に関し、その明確な目的は、エラストマー材料で製造される要素として用いられることであり、このエラストマー材料は中空接合部の内部（隙間）に適合することが可能で、中空接合部をシールすると同時に、接合部領域の表面を準備する際に接合部の内部への通過を阻止することができ、いかなる外部の粒子からも接合部カバーゴムストリップによって完全密封シールを達成できるようになっている。
【背景技術】
【０００２】
本発明は、接合部・テープ・バンドなどの表面を保護するための補助器具、装置及び要素を製造するために貢献する工業に用いられる。
【０００３】
物の表面を塗装又は準備するための工業、例えば自動車の車体加工で表面を塗装処理あるいは準備処理する場合、多数片の境界テープ（マスキングテープ）が用いられ、その端縁を曲げて塗料が境界線からはみ出さないようにしたり、塗装される部品の塗装される面に真実の端縁が作られるように準備させたりする。
【０００４】
上述した境界テープの代わりに、その対向する両面に磁気材料を備えた他のバンドも用いられ、ボール紙や普通紙として大きな成功あるいは小さな成功を収めている。
【０００５】
明らかに、これらのシステムの品質は最適ではなく、それゆえこれらをその場所に配置するための時間が重要であり、材料自身のコストとは別に、一般的な操作コストが増大し、準備するための領域に用意するために多くの時間を必要とする。
【発明の開示】
【発明が解決しようとする課題】
【０００６】
この問題の解決手段として、２つの表面の間に存在する隙間を充分にかつ密封してシールすることができ、異なる厚さにも対応可能で、隙間を密封シールして、粒子や塗料が内部に侵入するのを阻止できるような、さらに接合部の壁面上に関係する圧力を働かせることが可能でかつ処理すべき表面でオーバーラップしないような要素を持った接合部カバーゴムストリップを存在させればよい。
【０００７】
使用後に、接合部カバーゴムストリップを再使用できるような条件で復活させるには、接合部カバーゴムストリップを清浄にすればよい。
【０００８】
しかしながら、出願人は上述したような理想的な特徴を備えた発明が現在存在しているかどうかは知らない。
【課題を解決するための手段】
【０００９】
本発明により提案される中空接合部で分離された２つの隣接表面を準備し塗装するための接合部カバーゴムストリップは、本質的に明白な新規性を有する。それは、表面を準備し２つの接合部表面を塗装するというパフォーマンスを可能にし、いかなる外部の物質をも接合部の内部へと通過させる可能性を無くして保護する。
【００１０】
さらに詳細に述べると、本発明が対象物とする中空接合部で分離された２つの隣接表面を準備し塗装するための接合部カバーゴムストリップは、エラストマー材料で作られた単一片の本体から成る基礎上に作られる。その周辺には多数の特徴を包含し、異なる厚さを有する接合部の一方側あるいはその反対側に適合させることが可能で、実際はその中央領域に２つの角度の付いた突起を有し、この突起が２つの対角線（筋違い）のような四角形表面を生成する。これにより、処理されるべき表面の表面準備が達成され、保護されるべき真実の端縁が達成される。
【発明の効果】
【００１１】
この接合部カバーゴムストリップは、２つの隣接表面間の既存の接合部に導入され、垂直方向及び水平方向の両方から処理されるような領域で、接合部の内部へといかなる材料が侵入するのも阻止することができる。
【発明を実施するための最良の形態】
【００１２】
発明についての上述の記述を補足しかつ明細書の理解をより良好にするために、図面の１頁が本書に添付されている。そこには以下の要素がその情報と共に展示されているが、それらは本発明を限定するものではない。
【実施例】
【００１３】
図１は本発明の対象物である中空接合部で分離された２つの隣接表面を準備し塗装するための接合部カバーゴムストリップを斜視図で示している。
【００１４】
図２は図１に示した本発明の対象物を搭載した自動車の側部の例を示しており、本発明の対象物が自動車のドアの間に現存する接合部を保護している。
【００１５】
図３は図２に示した本発明の対象物の線Ａ−Ｂに沿う断面図である。
【００１６】
図１〜３において、中空（間に隙間がある）接合部で分離された２つの隣接表面２１，２２を準備し塗装するための接合部カバーゴムストリップ１が、単一片の本体２から作られていることが理解されよう。この本体はその上部に３つの表面（フェイス）又は切子面（ファセット）３，４，５を有し、ここで表面又は切子面３と５は斜めに配置され、表面又は切子面４は水平に配置されている。表面又は切子面３と５の後方には２つの垂直で平行な領域６と７が提供され、それらの内側端縁から２つの延長部８と９が延伸し、その上部に傾斜した又は斜めの表面１０と１１が提供され、その底部に表面１２と１３が提供されている。この結果、表面７と１１で形成される端縁へのアクセス（接触）を許可したり、表面６と１０の間にある端縁でアクセスを許可したりするようになっている。
【００１７】
底部には、幅が異なるけれども、本体２には上述したのと類似の構造が設けられており、表面４と平行でそれより広幅の水平表面１８と、２つの斜めの側部表面１６，１７が、中央領域又は切子面４から延伸する表面３と５に類似した方法で位置決めされている。
【００１８】
さらに前述した表面６と７に類似した垂直な表面又は切子面１４と１５が設けられているが、それらの間の幅は広くなっており、表面６と７の間に存在するよりも大きな空間を提供している。かくして、より大きな接合部（隙間）あるいはより小さな接合部（隙間）へと適合できるようになっている。
【００１９】
図２において、自動車２０上のドア２１と２２がそれぞれ接合部によって分離されているのが理解されよう。図３に示す接合部カバーゴムストリップ１は接合部を密封シールするように取り付けられており、傾斜部３０，３１を通じて表面を塗装したり準備したりするためのアクセスを許可している。傾斜部３０，３１は図１の表面１０，１１に対応している。
【００２０】
しかしながら、接合部カバーゴムストリップの本体は、接合部を占有する表面３，４，５，６，７の内部に導入されている。
【００２１】
本発明の記述を応用するには、本発明の分野を理解しそれから発生する利点を理解できるようなエキスパートだけに限定する必要はない。
【００２２】
材料、形態、寸法及び要素の配置などは、本発明の本質を変更するものでない限り、変化させることが可能である。
【００２３】
本発明の記述に使用された用語は、その周辺にも及ぶものと理解すべきであり、限定的に解釈してはならない。
【図面の簡単な説明】
【００２４】
【図１】本発明の対象物である中空接合部で分離された２つの隣接表面を準備し塗装するための接合部カバーゴムストリップの斜視図。
【図２】図１に示す本発明の対象物を搭載した自動車の側部の例を示す側面図。
【図３】図２に示した本発明の対象物の線Ａ−Ｂに沿う断面図。
【符号の説明】
【００２５】
１  接合部カバーゴムストリップ
２  本体
３，４，５  表面
６，７  垂直表面
８，９  突出部
１４，１５  垂直表面
１６，１７，１８  表面
【国際公開パンフレット】
2004521730.tif 000003
2004521730.tif 000004
2004521730.tif 000005
2004521730.tif 000006
2004521730.tif 000007
2004521730.tif 000008
2004521730.tif 000009
2004521730.tif 000010
2004521730.tif 000011
2004521730.tif 000012
【国際調査報告】
2004521730.tif 000013
2004521730.tif 000014
2004521730.tif 000015
2004521730.tif 000016